(57)【特許請求の範囲】
【請求項１】
第１方向に向けて第１画像を表示すると同時に、上記第１方向とは異なる第２方向に向けて上記第１画像とは異なる第２画像を表示する表示部を備えた表示装置において、
上記表示部に表示される第２画像を、上記第１画像を視認できる視覚位置に向けて反射する反射手段を含み、
上記表示部は第１タッチパネルに覆われ、上記反射手段は第２タッチパネルに覆われており、
上記第１タッチパネルに対する利用者のタッチ動作によって利用者に選択させる複数の第１選択項目が示されている第１メニュー画像が上記第１画像として表示されている場合、上記複数の第１選択項目のうちのいずれかが選択されると、上記第１メニュー画像を上記第１画像として表示したまま、選択された第１選択項目に対応する第２メニュー画像を上記第２画像として表示し、
上記第２メニュー画像は、上記第２タッチパネルに対する利用者のタッチ動作によって利用者に選択させる複数の第２選択項目を示す画像であり、
上記複数の第２選択項目のうちのいずれかが選択されると、上記第２メニュー画像を上記第２画像として表示したまま、上記第１画像の内容が、選択された第２選択項目に対応する内容に切り替わるようになっていることを特徴とする表示装置。
【請求項２】
上記反射手段は、上記視覚位置から視認可能なミラーであることを特徴とする請求項１に記載の表示装置。
【請求項３】
上記表示部に表示されている第２画像は、視覚者に対して示されるべき画像に対する鏡像であることを特徴とする請求項２に記載の表示装置。
【請求項４】
上記表示部の画面と上記ミラーにおける鏡面とのなす角度が調整可能に構成されていることを特徴とする請求項２または３に記載の表示装置。
【請求項５】
上記ミラーにおける鏡面は、上記表示部の画面と同一面積、または上記表示部の画面よりも広面積であることを特徴とする請求項２から４のいずれか１項に記載の表示装置。
【請求項６】
請求項１から５のいずれか１項に記載の表示装置を含む印刷装置であって、上記表示部を印刷装置の操作パネルにおけるタッチスクリーンとすることを特徴とする印刷装置。
【発明の詳細な説明】
【技術分野】
【０００１】
本発明は、デュアルビュー表示またはマルチビュー表示の可能な表示パネルを有する表示装置に関するものである。
【背景技術】
【０００２】
画像表示の技術分野においては、特許文献１や特許文献２に開示されているデュアルビュー方式の液晶ディスプレイが知られている。ここで、図１（ａ）において、デュアルビュー方式の液晶ディスプレイの表示画面を模式的に示した正面図を示し、図１（ｂ）において、この表示画面の斜視図を示し、図１（ｃ）において、この表示画面の上面図を示す。デュアルビュー方式とは、図１に示すように、液晶ディスプレイの表示画面１００から第１方向に向けて第１画像を表示すると同時に、表示画面１００から第１方向とは異なる第２方向に向けて第１画像とは異なる第２画像を表示する方式を意味する。
【特許文献１】特開２００５−２８４５９２号（公開日：平成１７年１０月１３日）
【特許文献２】特開２００５−０７８０７６号（公開日：平成１７年０３月２４日）
【発明の開示】
【発明が解決しようとする課題】
【０００３】
ところで、デュアルビュー方式の液晶ディスプレイでは、図１（ｃ）に示すように、第１方向に向けて表示される第１画像の視野角ａと、第２方向に向けて表示される第２画像の視野角ｂとは異なっている。したがって、図１（ｃ）に示すように、第１画像を視認可能な視覚位置１５０においては第２画像を視認できず、第２画像を視認可能な視覚位置２００においては第１画像を視認できない。
【０００４】
また、利用者（液晶ディスプレイの視覚者）の目の位置が視覚位置１５０と視覚位置２００との間の中間位置３００にある場合、第１画像と第２画像とが交じり合った状態のぼけた画像が利用者に示され、利用者はこの画像から第１および第２画像の両画像を把握することができない。
【０００５】
つまり、デュアルビュー方式の表示装置によれば、利用者は、第１画像と第２画像とを同時に観察する必要がある場合であっても、第１および第２画像を同時に観察することができないという問題が生じることになる。
【０００６】
本発明は、第１方向に向けて第１画像を表示すると同時に第２方向に向けて第２画像を表示する表示装置において、利用者に第１画像と第２画像とを同時に観察させることの可能な表示装置を提供することを目的とする。
【課題を解決するための手段】
【０００７】
以上の目的を達成するために、本発明の表示装置は、第１方向に向けて第１画像を表示すると同時に、上記第１方向とは異なる第２方向に向けて上記第１画像とは異なる第２画像を表示する表示部を備えた表示装置において、上記第１画像を視認できる視覚位置に向けて、上記表示部に表示される第２画像を反射する反射手段を含むことを特徴とする。
【０００８】
これにより、上記視覚位置において、上記表示部に表示されている第１画像を視認できると同時に、上記反射手段から反射される第２画像を視認できるという効果を奏する。
【０００９】
また、上記反射手段は、上記視覚位置から視認可能なミラーであることが好ましい。これにより、表示部に表示される第２画像をミラーに映し出し、上記視覚位置において、ミラーに映し出された第２画像を視認できる。さらに、以上の表示装置において、総表示面積は、表示部の表示画面の面積とミラーの鏡面の面積とを合わせた値となり、小型の表示装置であっても総表示面積を広く確保できる。
【００１０】
また、本発明の表示装置において、上記表示部に表示されている第２画像は、視覚者に対して示されるべき画像に対する鏡像であることが好ましい。
【００１１】
これにより、上記ミラーから反射される第２画像（ミラーに映される第２画像）は、視覚者に対して示されるべき画像になり、上記視覚位置の視覚者に対して、鏡像ではなく、本来示すべき画像を視認させることができる。
【００１２】
さらに、本発明の表示装置において、上記表示部の画面と上記ミラーにおける鏡面とのなす角度が調整可能に構成されていることが好ましい。
【００１３】
これにより、上記ミラーの反射角を、上記視覚位置にいる視覚者の視点（目の位置）に適した角度になるように調整できる。
【００１４】
また、本発明の表示装置において、上記ミラーにおける鏡面は、上記表示部の画面と同一面積、または上記表示部の画面よりも広面積であることが好ましい。
【００１５】
これにより、表示部に表示されている第２画像全体を上記ミラーによって反射することができ、表示部から表示される第２画像の一部分のみがミラーによって反射されるという不都合を抑制できる。
【００１６】
また、本発明の表示装置において、上記第２画像には、上記第１画像に示される情報に対して補充すべき情報が示されることが好ましい。これにより、第１画像のサイズが小さくて第１画像のみで十分に情報を示すことができなくても、第１画像と第２画像とを同時に表示することによって利用者に十分に情報を提示することができる。
【００１７】
なお、上述した表示装置は印刷装置に利用されることが好ましく、この場合、上記表示部は印刷装置の操作パネルにおけるタッチスクリーンとして用いられる。
【発明の効果】
【００１８】
以上のように、本発明の表示装置は、第１方向に向けて第１画像を表示すると同時に、上記第１方向とは異なる第２方向に向けて上記第１画像とは異なる第２画像を表示する表示部を備えた表示装置において、上記第１画像を視認できる視覚位置に向けて、上記表示部に表示される第２画像を反射する反射手段を含むことを特徴とする。
【００１９】
これにより、上記視覚位置において、上記表示部に表示されている第１画像を視認できると同時に、上記反射手段から反射される第２画像を視認できるという効果を奏する。
【発明を実施するための最良の形態】
【００２０】
本発明の一実施形態について図２ないし図１６に基づいて説明すると以下の通りである。なお、以下では、プリンタ、スキャナ、複写機、ＦＡＸとしての機能を有するＭＦＰに構成されている操作パネルを本発明に係る表示装置の一形態として説明する。
【００２１】
図２に示すように、ＭＦＰ（印刷装置）１は、ＣＣＤ（Charge Coupled Device）等にて原稿の画像を読み取って画像信号を出力する画像読取装置（スキャナ）２と、画像読取装置２から送信される画像信号または外部から送信される画像信号に基づいて用紙上に画像を印刷する電子写真方式のプリンタ３と、プリンタ３に順次用紙を供給する給紙デスク装置４と、を含む構成である。
【００２２】
そして、画像読取装置２における原稿台２ａの側部に、本実施形態の操作パネル５が備えられている。この操作パネル５は、利用者に各種画像を表示する表示手段としての機能を有すると共に、ＭＦＰ１を操作するための各種操作用コマンドを入力する入力手段としての機能を有するものである。以下、操作パネル５について詳細に説明する。
【００２３】
まず、操作パネル５の外観構成から説明する。操作パネル５は、図２に示すように、ハードキー群１０とタッチスクリーン３０と開閉パネル３１とを備えている。
【００２４】
ハードキー群１０は、図３に示すように、スタートキー２０、テンキー２１、クリアキー２２、全解除キー２３、および動作モードキー群２４を含んでいる。
【００２５】
スタートキー２０は、ＭＦＰ１に現在設定されている動作モードに応じた処理を実行させるためのコマンドを入力するためのキーである。テンキー２１は、タッチスクリーン３０に表示されている画像に示されるコピー枚数などの数の設定（数の入力）を行うためのキーである。クリアキー２２は、テンキー２１で設定した数をゼロにしたり、直前の入力値を取消したりするためのキーである。全解除キー２３は、利用者によって設定された各種条件を取消したり、ＭＦＰ１が動作中であれば、その動作を中止させたりするキーである。
【００２６】
動作モードキー群２４は、プリンタモードキー２５、送信モードキー２６、コピーモードキー２７、およびジョブステータスキー２８からなっている。
【００２７】
プリンタモードキー２５は、ＭＦＰ１の動作モードをプリンタモードに設定するためのキーである。プリンタモードとは、図示しない端末装置から送信されてくる画像信号やＦＡＸ送信されてくる画像信号に基づいてプリンタ３に印刷を実行させるモードを意味する。
【００２８】
送信モードキー２６は、ＭＦＰ１の動作モードを送信モードに設定するためのキーである。送信モードとは、画像読取装置２に原稿の画像を読み取らせ、読み取らせた原稿の画像を外部へ送信するモードを意味する。なお、送信モードには、ＦＡＸにて外部装置に画像を送信するファックスモードと、ネットワークを介してＭＦＰ１に接続されている端末装置に画像を送信するイメージ送信モードとがある。
【００２９】
コピーモードキー２７は、ＭＦＰ１の動作モードをコピーモードに設定するためのキーである。コピーモードとは、画像読取装置２に原稿の画像を読み取らせ、プリンタ３に当該画像を用紙上に印刷（複写）させるモードを意味する。
【００３０】
ジョブステータスキー２８は、上述した各種モード毎に、未処理のジョブファイルのリストを示したジョブリスト画像をタッチスクリーン３０に表示させるためのキーである。
【００３１】
つぎに、タッチスクリーン３０について説明する。タッチスクリーン３０は、ＭＦＰ１における各種コマンドの入力を促す各種画像を表示するものであって、利用者がこのタッチスクリーン３０にタッチすることによって上記各種コマンドの入力が行われる。
【００３２】
このタッチスクリーン３０は、図５に示すように、液晶表示パネル３０ａ上にタッチパネル３０ｂを覆って構成されるものである。
【００３３】
液晶表示パネル３０ａは、デュアルビュー機能を有する液晶ディスプレイである。したがって、タッチスクリーン３０は、図４に示すように、画面から第１方向に向けて第１画像を表示すると同時に、画面から第１方向とは異なる第２方向に向けて第１画像とは異なる第２画像を表示する機能、つまり、互いに異なる２つの画像を同時に表示する機能を有することとなる。
【００３４】
タッチパネル３０ｂは、利用者がタッチすると表面電荷を変化させる透明素材からなる静電容量結合型のタッチパネルである。
【００３５】
つぎに、開閉パネル３１について説明する。この開閉パネル３１は、タッチスクリーン３０のカバー部材である。図４に示すように、この開閉パネル３１の一辺には蝶番３３が形成されており、この蝶番３３は、操作パネル５においてタッチスクリーン３０の近傍に取り付けられている。
【００３６】
そして、開閉パネル３１は蝶番３３を回転軸として回動自在に構成されている。さらに、利用者が開閉パネル３１を回動させることによって、開閉パネル３１がタッチスクリーン３０を覆う閉状態と、タッチスクリーン３０が外部に露出される開状態（図４、図５に示される状態）とを切り換えることができる。
【００３７】
さらに、開閉パネル３１には、図４および図５に示すように、タッチスクリーン３０側の面においてミラー３２が形成されている。また、図５に示すように、ミラー３２は、タッチパネル３４に覆われている。このタッチパネル３４は、タッチパネル３０ｂと同様、利用者がタッチすると表面電荷を変化させる透明素材からなる静電容量結合型のタッチパネルである。
【００３８】
そして、図５に示すように、開閉パネル３１の開状態において、ミラー３２は、タッチスクリーン３０に表示される第２画像を入射し、且つ、この第２画像を視覚位置αに向けて反射するようになっている。なお、視覚位置αとは、タッチスクリーン３０に表示される第１画像を視認可能な位置であると共に、ミラー３２の鏡面を視認可能な位置である。
【００３９】
したがって、視覚位置αに視点がある利用者は、タッチスクリーン３０に表示されている第１画像を視認できると同時に、ミラー３２によって反射される第２画像（つまり、ミラー３２に映される第２画像）をも視認できる。
【００４０】
つぎに、操作パネル５の内部構成について詳細に説明する。図６は、操作パネル５の内部構成を示したブロック図である。
【００４１】
図６に示すように、操作パネル５は、上述したハードキー群１０、液晶表示パネル３０ａとタッチパネル３０ｂとからなるタッチスクリーン３０、ミラー３２、ミラー３２を覆うタッチパネル３４の他、タッチ位置検出回路６０、表示制御部５０を含む。
【００４２】
タッチ位置検出回路６０は、タッチパネル３０ｂの表面電荷の変化を検出することによって、タッチパネル３０ｂ上の利用者のタッチ位置（つまりタッチスクリーン３０上の利用者のタッチ位置）を示す座標値を算出し、この算出した座標値を表示制御部５０に入力する回路である。また、タッチ位置検出回路６０は、タッチパネル３４の表面電荷の変化を検出することによって、タッチパネル３４上の利用者のタッチ位置（つまりミラー３２上の利用者のタッチ位置）を示す座標値を算出し、この算出した座標値を表示制御部５０に入力する。
【００４３】
表示制御部５０は、液晶表示パネル３０ａの表示動作、つまりタッチスクリーン３０の表示動作を制御するコンピュータであり、ＣＰＵ（Central Processing Unit）、ＲＡＭ（Random Access Memory）、ＲＯＭ（Read Only Memory）等から構成される。特に、表示制御部５０は、タッチ位置検出回路６０から入力される座標値に基づいて上記タッチ位置を検知し、検知したタッチ位置に応じて、タッチスクリーン３０に表示される第１画像の内容や第２画像の内容を切り換える制御を行っている。以下では、表示制御部５０の制御内容について詳細に説明する。
【００４４】
まず、表示制御部５０は、ＭＦＰ１が利用者からの指示入力を待機している待機状態において、ＭＦＰ１に現在設定されている動作モードにおける入力待機画像を第１画像としてタッチスクリーン３０に表示させる制御を行う。例えば、ＭＦＰ１においてコピーモードが設定されている場合、図３に示すように、コピーモードにおける入力待機画像７０が第１画像としてタッチスクリーン３０に表示されている。
【００４５】
ここで、図５の視覚位置αにおいて、第１画像として表示されている入力待機画像７０を視認している利用者が、タッチスクリーン３０をタッチすると、表示制御部５０は、このタッチされた位置に応じて、第２方向に向けて表示される第２画像の内容を決定し、決定した内容の画像を第２画像として表示する。
【００４６】
例えば、図３に示すように、第１画像として表示されている入力待機画像７０は、特別機能ボタンＡ、両面コピーボタンＢ、コピー濃度ボタンＣ、用紙ボタンＤ、倍率ボタンＥ等の利用者に選択させるための項目を含むメニュー画像であるが、利用者が特別機能ボタンＡの示されている位置を指で覆うようにタッチスクリーン３０をタッチしたとする。この場合、表示制御部５０は、タッチ位置検出回路６０から入力される座標値に基づいて特別機能ボタンＡの示されている位置をタッチ位置として検知する。そして、表示制御部５０は、第１画像として入力待機画像７０を表示させたまま、入力待機画像７０に対する下位階層の画像であって特別機能ボタンＡに対応する特別機能設定用画像７１（図７（ａ）参照）を第２画像として表示するように、タッチスクリーン３０の動作を制御する。
【００４７】
ここで、表示制御部５０は、第２画像については、利用者に対して本来示すべき画像に対する鏡像をタッチスクリーン３０から表示する制御を行う。したがって、図９（ａ）に示すように、第１方向側からタッチスクリーン３０を見た場合、第１画像としての入力待機画像７０がタッチスクリーン３０に表示されており、第２方向側からタッチスクリーン３０を見た場合、第２画像としての特別機能設定用画像７１の鏡像がタッチスクリーン３０に表示されていることになる。なお、図９（ａ）および後述する図１０（ａ）、図１１、図１２において、タッチスクリーン３０が２つ示されているが、これは説明の便宜上２つ示しているだけであって、タッチスクリーン３０は実際には１つである。具体的には、図９（ａ）、図１０（ａ）、図１１、図１２において、上側のタッチスクリーン３０は、第２方向側（図５参照）からみたスクリーンの状態を示したものであり、下側のタッチスクリーン３０は、第１方向側からみたスクリーンの状態を示したものである。
【００４８】
そして、タッチスクリーン３０に表示されている特別機能設定用画像７１の鏡像はミラー３２に導かれ、このミラー３２は、当該鏡像を視覚位置αに向けて反射する。したがって、ミラー３２に映される像は当該鏡像を反転したものとなり、利用者に対して本来示すべき形態で特別機能設定用画像７１がミラー３２に映されることとなる。
【００４９】
これにより、図５の視覚位置αに視点を位置する利用者からすれば、図９（ｂ）に示されるように、タッチスクリーン３０に表示されている入力待機画像（第１画像）７０を視認できると同時に、利用者に対して本来示されるべき形態でミラー３２に映されている特別機能設定用画像（第２画像）７１を視認できる。なお、図９（ｂ）は、図５の視覚位置αからみたタッチスクリーン３０およびミラー３２を示したものである。
【００５０】
さらに、図９（ｂ）に示すように、ミラー３２に映されている第２画像としての特別機能設定用画像７１は、綴じ代ボタンＦ、中綴じボタンＧ、マルチショットボタンＨ等の利用者に選択させるための項目を含むメニュー画像であるが、例えば、利用者が綴じ代ボタンＦの示されている位置を指で覆うようにミラー３２上のタッチパネル３４をタッチしたとする。この場合、表示制御部５０は、タッチ位置検出回路６０から入力される座標値に基づいて綴じ代ボタンＦの示されている位置をタッチ位置として検知する。そして、表示制御部５０は、第２画像として特別機能設定用画像７１の鏡像を表示させたまま、特別機能設定用画像７１に対する下位階層の画像であって綴じ代ボタンＦに対応する綴じ代設定用画像７２（図７（ｂ）参照）を第１画像として表示するように、タッチスクリーン３０の動作を制御する。
【００５１】
これにより、図１０（ａ）に示すように、第１方向側からタッチスクリーン３０を見た場合、第１画像としての綴じ代設定用画像７２がタッチスクリーン３０に表示されており、第２方向側からタッチスクリーン３０を見た場合、第２画像としての特別機能設定用画像７１の鏡像がタッチスクリーン３０に表示されていることになる。
【００５２】
それゆえ、図５の視覚位置αにおける利用者からすれば、図１０（ｂ）に示されるように、タッチスクリーン３０に表示されている第１画像として綴じ代設定用画像７２を視認できると同時に、ミラー３２に映されている第２画像として特別機能設定用画像７１を視認できる。なお、図１０（ｂ）は、図５の視覚位置αからみたタッチスクリーン３０およびミラー３２を示したものである。
【００５３】
以上のように、本実施形態の操作パネル５においては、液晶表示パネル３０ａをタッチパネル３０ｂで覆ってタッチスクリーン３０を構成しているのみならず、ミラー３２をもタッチパネル３４で覆っている。そして、視覚位置αに視点を位置する利用者は、タッチスクリーン３０に表示されている第１画像を視認し、且つ、ミラー３２に映されている第２画像を視認できる。ここで、利用者が、第１画像に示されている何れかのボタン（選択項目）を指で覆うようにタッチスクリーン３０にタッチすると、この第１画像をタッチスクリーン３０に表示させながら、この第１画像に対する下位階層の画像であって上記ボタンに対応する画像を第２画像としてミラー３２に映し出すことができる。さらに、利用者が、ミラー３２に映し出されている第２画像に示されている何れかのボタンを覆うようにミラー３２（つまりタッチパネル３４）にタッチすると、この第２画像をミラー３２に映しながら、この第２画像に対する下位階層の画像であって上記ボタンに対応する画像を第１画像としてタッチスクリーン３０から表示させることができる。つまり、以上の構成によれば、利用者は、上位階層のメニュー画像と、当該上位階層のメニュー画像のうちの利用者が選択した項目に対応する下位階層のメニュー画像とを同時に視認できるのである。
【００５４】
なお、以上では、第１画像として図３に示す入力待機画像７０が表示されている場合において、利用者が特別機能ボタンＡの示されている位置をタッチすると、特別機能ボタンＡに対応する特別機能設定用画像７１（図７（ａ）参照）の鏡像が第２画像としてタッチスクリーン３０から表示される形態について説明したが、例えば、利用者が入力待機画像７０における両面コピーボタンＢの示されている位置をタッチした場合、図８（ｄ）に示される両面コピー設定用画像７８の鏡像が第２画像として表示されることとなる。また、第１画像として図３に示す入力待機画像７０が表示されている場合において、利用者が入力待機画像７０におけるコピー濃度ボタンＣの示されている位置をタッチした場合、図８（ａ）に示されるコピー濃度設定用画像７５の鏡像が第２画像として表示され、利用者が入力待機画像７０における用紙ボタンＤの示されている位置をタッチした場合、図８（ｃ）に示される用紙設定用画像７７の鏡像が第２画像として表示され、利用者が入力待機画像７０における倍率ボタンＥの示されている位置をタッチした場合、図８（ｂ）に示される倍率設定用画像７６の鏡像が第２画像として表示されることになる。
【００５５】
また、以上では、図９（ｂ）に示すように、第２画像である特別機能設定用画像７１がミラー３２に映されている場合において、利用者が綴じ代ボタンＦの示されている位置をタッチすると、綴じ代ボタンＦに対応する綴じ代設定用画像７２（図７（ｂ）参照）が第１画像としてタッチスクリーン３０に表示される形態について説明したが、例えば、利用者が図９（ｂ）の中綴じボタンＧの示されている位置をタッチすると、中綴じボタンＧに対応する中綴じ設定用画像７３（図７（ｃ）参照）が第１画像としてタッチスクリーン３０に表示され、利用者が図９（ｂ）のマルチショットボタンＨの示されている位置をタッチすると、マルチショットボタンＨに対応するマルチショット設定用画像７４（図７（ｄ）参照）が第１画像としてタッチスクリーン３０に表示されることになる。
【００５６】
また、本実施形態においては、図３のジョブステータスキー２８を押すことによって、ジョブリスト画像をタッチスクリーン３０に表示させることができるが、この点について以下説明する。図６の表示制御部５０は、ハードキー群１０のうちのジョブステータスキー２８が押されたことを検出すると、タッチスクリーン３０から第１方向に向けて第１ジョブリスト画像（第１画像）８５を表示し、タッチスクリーン３０から第２方向に向けて第２ジョブリスト画像（第２画像）８６の鏡像を表示する制御を行う。
【００５７】
これにより、図１２に示すように、第１方向側からタッチスクリーン３０を見た場合、第１ジョブリスト画像８５がタッチスクリーン３０に表示されており、第２方向側からタッチスクリーン３０を見た場合、第２ジョブリスト画像８６の鏡像がタッチスクリーン３０に表示されていることになる。そして、視覚位置αに視点を位置する利用者からすれば、図１２に示すように、タッチスクリーン３０に表示されている第１ジョブリスト画像８５を視認できると同時に、ミラー３２に映される第２ジョブリスト画像８６を視認することができる。
【００５８】
ここで、図１２に示すように、第１ジョブリスト画像８５においては、３つのジョブファイル名が示されており、第２ジョブリスト画像８６においては、第１ジョブリスト画像８５のサイズとの関係により第１ジョブリスト画像８５にて示せなかった他の５つのジョブファイル名が補充的に示されており、利用者は８つのジョブファイル名を同時に確認できる。つまり、第２画像（第２ジョブリスト画像８６）においては、第１画像（第１ジョブリスト画像８５）に示される情報に対して補充すべき情報が示されていることになる。
【００５９】
これに対し、仮に、デュアルビュー機能を有しない通常の表示パネルにおいて、第１ジョブリスト画像８５および第２ジョブリスト画像８６を同時に表示させる場合、両画像を縮小して表示しなければならず、各ジョブファイル名を視認し難くなる。また、第１ジョブリスト画像８５および第２ジョブリスト画像８６を順に表示される場合、利用者からすれば、最高で５つのジョブファイル名しか同時に確認することができず、本実施形態のように、８つのジョブファイル名を同時に確認することができない。
【００６０】
以上示した構成において、タッチスクリーン３０とミラー３２とを有する操作パネル５が本発明の表示装置の一形態に相当する。そして、タッチスクリーン３０は、第１方向に向けて第１画像を表示すると同時に、第１方向とは異なる第２方向に向けて第１画像とは異なる第２画像を表示する表示部としての機能を有し、ミラー３２は、第１画像を視認できる視覚位置αに向けて、タッチスクリーン３０に表示される第２画像を反射する反射手段としての機能を有している。これにより、視覚位置αにおいて、タッチスクリーン３０に表示されている第１画像を視認できると同時に、ミラー３２から反射される第２画像を視認できる。
【００６１】
なお、タッチスクリーン３０に表示される第２画像を視覚位置αに向けて反射させる反射手段としてはミラー３２に限定されるものではなく、ミラー３２の代わりに、半透明のガラス、半透明の樹脂、光沢のある樹脂、光沢のある金属等を上記反射手段としてもよい。このような反射手段であっても、第２画像を反射させることは一応可能だからである。
【００６２】
また、本実施形態では、タッチスクリーン３０において、デュアルビュー方式の液晶表示パネル３０ａが用いられているが、第１方向に向けて第１画像を表示すると同時に第２方向に向けて第２画像を表示する機能を有するものであればデュアルビュー方式の液晶表示パネル３０ａに限定されるものではなく、マルチビュー方式の液晶ディスプレイを用いても本発明を実現できる。さらに、デュアルビュー方式またはマルチビュー方式は、特許文献１の〔００７６〕や特許文献２の〔０１３７〕に記載されているように、液晶表示パネル以外でも実現可能であるため、液晶表示パネル３０ａの代わりに、例えば有機ＥＬパネルやＣＲＴ等を用いても本発明を実現することは可能である。
【００６３】
さらに、本実施形態のように単一のミラー３２によって上記反射手段を構成する形態に限定されるものではなく、複数のミラーによって上記反射手段を構成してもよい。例えば、タッチスクリーン３０に表示されている第２画像を第１および第２方向とは異なる方向に反射するミラーｆと、ミラーｆから反射されてくる第２画像をさらに視覚位置αに向けて反射するミラーｇとによって上記反射手段を構成してもよい。
【００６４】
また、図９（ａ）または図１０（ａ）に示したように、タッチスクリーン３０に表示されている第２画像は視覚者に対して示されるべき画像に対する鏡像である。それゆえ、ミラー３２から反射されている第２画像は、視覚者に対して示されるべき画像になり、視覚位置αの視覚者に対して、鏡像ではなく、本来示すべき画像を視認させることができる。
【００６５】
さらに、本実施形態において、図４に示すように、ミラー３２が形成されている開閉パネル３１は回動可能に構成されており、この回動によって、タッチスクリーン３０の画面とミラー３２の鏡面とのなす角度が調整可能になっている。これにより、ミラー３２の反射角を、視覚位置αにいる視覚者の視点（目の位置）に適した角度になるように調整できる。
【００６６】
また、本実施形態において、ミラー３２の鏡面は、タッチスクリーン３０の画面と同一面積、タッチスクリーン３０の画面よりも広面積であることが好ましい。これにより、タッチスクリーン３０から表示される第２画像全体をミラー３２によって反射することができ、タッチスクリーン３０から表示される第２画像の一部分のみがミラー３２によって反射されるという不都合を抑制できる。
【００６７】
さらに、本実施形態において、第１および第２画像の各々は、利用者に選択させるボタン（選択項目）が複数示されているメニュー画像である。これにより、利用者に対して、選択項目が示されているメニューを示した画像を二種類同時に視認させることができる。
【００６８】
また、本実施形態においては、ミラー３２をタッチパネル３４にて覆い、タッチスクリーン３０に表示される第１画像には、タッチスクリーン３０に対する利用者のタッチ動作によって利用者に選択させるボタン（選択項目）が複数示され、ミラー３２に映される第２画像には、タッチパネル３４に対する利用者のタッチ動作によって利用者に選択させるボタン（選択項目）が複数示されている。さらに、利用者は、タッチスクリーン３０にタッチしてタッチスクリーン３０に表示されている第１画像に示されているボタンを選択することによって、この第１画像をタッチスクリーン３０に表示したまま、選択したボタンに対応する下位階層の画像を第２画像としてミラー３２に映すことができる。また、ミラー３２に覆われているタッチパネル３４にタッチしてミラー３２に映されている第２画像に示されているボタンを選択することによって、この第２画像をミラー３２に映したまま、選択したボタンに対応する下位階層の画像を第１画像としてタッチスクリーン３０に表示できる。
【００６９】
また、本実施形態の操作パネル５においては、第２画像を映し出すミラー３２をタッチパネル３４で覆い、第２画像に示されている各種ボタンをタッチパネル３４に対するタッチ動作によって選択可能に構成しているが、ミラー３２をタッチパネル３４で覆う構成でなくとも、第２画像に示されている各種ボタンをタッチ動作によって選択可能にすることができる。具体的に、タッチスクリーン３０のみによって、第１画像および第２画像に示される各種ボタンに対するタッチ動作を受け付けるようにする。
【００７０】
例えば、図１１に示すように、タッチスクリーン３０において第１領域８１と第２領域８２とを設定し、第１領域８１については第１画像に示される各種ボタン（選択項目）に対するタッチ動作のみを受け付け、第２領域については第２画像に示される各種ボタン（選択項目）に対するタッチ動作のみを受け付けるように構成する。
【００７１】
そして、利用者は、タッチスクリーン３０の第１領域に対してタッチ動作することによって、第１画像としての綴じ代設定用画像７２に示される各種ボタンを選択でき、タッチスクリーン３０の第２領域に対してタッチ動作することによって、第２画像としての特別機能設定用画像７１の鏡像に示される各種ボタンを選択できるようにする。これにより、
タッチスクリーン３０に対するタッチ動作によって、第１画像に示されている各種ボタンのみならず第２画像に示される各種ボタンをも選択できる。
【００７２】
但し、図５に示す視覚位置αの利用者からすれば、タッチスクリーン３０に表示されている第２画像としての特別機能設定用画像７１の鏡像を視認することができない。そこで、この利用者は、図１１に示すように、ミラー３２に映されている第２画像としての特別機能設定用画像７１を参照して、タッチスクリーン３０に表示されている特別機能設定用画像（第２画像）７１の鏡像における各種ボタンの位置を予測して、タッチスクリーン３０の第２領域８２に対してタッチ動作を行うことになる。
【００７３】
また、図１１に示すように、第１方向側からタッチスクリーン３０を見た場合において、第１画像としての綴じ代設定用画像７２が表示されているが、この綴じ代設定用画像７２においては、第１領域８１に重複する範囲にのみ各種ボタンが示されるようにする。さらに、第２方向側からタッチスクリーン３０を見た場合において、第２画像としての特別機能設定用画像７１の鏡像が表示されているが、この特別機能設定用画像７１の鏡像においては、第２領域８２に重複する範囲にのみ各種ボタンが示されるようにする。
【００７４】
このようにすれば、第１画像としての綴じ代設定用画像７２に示される各種ボタンを選択する場合のタッチ位置と、第２画像としての特別機能設定用画像７１に示される各種ボタンを選択する場合タッチ位置とが同一位置となるような不都合を回避できる。
【００７５】
また、本実施形態の操作パネル５は、ＭＦＰ１以外の電気機器にも適用可能であり、例えば、ＦＡＸ，カーナビゲーションシステム，ＡＴＭ，各種自動販売機等の電気機器にも適用できる。
【００７６】
さらに、本実施形態では、第１方向に向けて第１画像を表示すると同時に、第１方向とは異なる第２方向に向けて第１画像とは異なる第２画像を表示する表示部として、タッチスクリーン３０が用いられているが、タッチスクリーン３０に限定されるものではなく、タッチパネル３０ｂが覆われていない液晶表示パネル３０ａを上記表示部としてもよい。つまり、本発明の表示装置は、タッチスクリーンが構成されている操作パネルのみに適用可能なのではなく、例えば、家庭用テレビジョン、パソコン等の表示画面を有する機器であれば適用可能なのである。
【００７７】
また、本実施形態においては、図２に示すように、ミラー３２が形成されている開閉パネル３１は操作パネル５に回動可能に取り付けられている構成であるが、このような構成に限定されるものではなく、例えば、図１３に示すように原稿台２ａの端部に回動可能に取り付けられてもよいし、図１４に示すように画像読取装置２における原稿搬送部２ｂの側部に回動可能に取り付けられる構成であってもよい。但し、図１３または図１４の構成の場合、操作パネル５とミラー３２との組み合わせが本発明の表示装置の一形態となる。
【００７８】
さらに、本実施形態においては、図２および図４に示すように、開閉パネル３１は蝶番３３を回転軸として回動可能に構成されているが、回動可能に構成されている必要はない。例えば、図１５に示すように、開閉パネル３１が原稿台２ａの端部に固定されている構成であってもよいし、図１６に示すように、開閉パネル３１が画像読取装置２における原稿搬送部２ｂの側部に固定されている構成であってもよい。但し、図１５または図１６の構成の場合、操作パネル５とミラー３２との組み合わせが本発明の表示装置の一形態となる。
【００７９】
本発明は上述した各実施形態に限定されるものではなく、請求項に示した範囲で種々の変更が可能であり、上述した実施形態において開示された各技術的手段を適宜組み合わせて得られる実施形態についても本発明の技術的範囲に含まれる。
【産業上の利用可能性】
【００８０】
本発明の表示装置は、タッチスクリーンを備えた操作パネルに好適であるが、これに限定されず、家庭用テレビジョン、パソコン等の表示画面を有する機器であれば適用可能である。
【図面の簡単な説明】
【００８１】
【図１】（ａ）は、デュアルビュー機能を有する液晶ディスプレイを模式的に示した正面図であり、（ｂ）は、（ａ）に示した液晶ディスプレイを模式的に示した斜視図であり、（ｃ）は、（ａ）に示した液晶ディスプレイを模式的に示した上面図である。
【図２】本発明の一実施形態の操作パネルが構成されているＭＦＰを示した斜視図である。
【図３】図２に示した操作パネルの正面図である。
【図４】図３に示した操作パネルに構成されているタッチスクリーンおよびカバー部材を示した斜視図である。
【図５】図４に示したタッチスクリーンおよびカバー部材を模式的に示した断面図である。
【図６】本発明の一実施形態に係る操作パネルの内部構成を示したブロック図である。
【図７】図３に示す操作パネルにおいて表示される画像であって、（ａ）は特別機能設定用画像を示し、（ｂ）は綴じ代設定用画像を示し、（ｃ）は中綴じ設定用画像を示し、（ｄ）はマルチショット設定用画像を示す。
【図８】図３に示す操作パネルにおいて表示される画像であって、（ａ）はコピー濃度設定用画像を示し、（ｂ）は倍率設定用画像を示し、（ｃ）は用紙設定用画像を示し、（ｄ）は両面コピー設定用画像を示す。
【図９】タッチスクリーンから第１方向に向けて入力待機画像が表示され第２方向に向けて特別機能設定用画像が表示されている場合において、（ａ）は、第１方向側から見た場合のタッチスクリーンの形態と、第２方向側から見た場合のタッチスクリーンの形態とを示した図であり、（ｂ）は、第１方向側から見た場合のタッチスクリーンの形態と、ミラーとを示した図である。
【図１０】タッチスクリーンから第１方向に向けて綴じ代設定用画像が表示され第２方向に向けて特別機能設定用画像が表示されている場合において、（ａ）は、第１方向側から見た場合のタッチスクリーンの形態と、第２方向側から見た場合のタッチスクリーンの形態とを示した図であり、（ｂ）は、第１方向側から見た場合のタッチスクリーンの形態と、ミラーとを示した図である。
【図１１】第１方向側から見た場合のタッチスクリーンの形態と、第２方向側から見た場合のタッチスクリーンの形態と、ミラーとを示した図である。
【図１２】タッチスクリーンから第１方向に向けて第１ジョブリスト画像が表示され第２方向に向けて第２ジョブリスト画像が表示されている場合において、第１方向側から見た場合のタッチスクリーンの形態と、第２方向側から見た場合のタッチスクリーンの形態と、ミラーとを示した図である。
【図１３】本発明の一実施形態の操作パネルが構成されているＭＦＰを示した斜視図であって、カバー部材を原稿台に構成した場合の図である。
【図１４】本発明の一実施形態の操作パネルが構成されているＭＦＰを示した斜視図であって、カバー部材を原稿搬送部に構成した場合の図である。
【図１５】本発明の一実施形態の操作パネルが構成されているＭＦＰを示した斜視図であって、カバー部材を原稿台に固定した場合の図である。
【図１６】本発明の一実施形態の操作パネルが構成されているＭＦＰを示した斜視図であって、カバー部材を原稿搬送部に固定した場合の図である。
【符号の説明】
【００８２】
１      ＭＦＰ（印刷装置）
５      操作パネル（表示装置）
３０    タッチスクリーン（表示部）
３０ａ  液晶表示パネル
３０ｂ  タッチパネル
３１    開閉パネル
３２    ミラー（反射手段）
３４    タッチパネル
７０    入力待機画像（第１画像）
７１    特別機能設定用画像（第２画像）
７２    綴じ代設定用画像（第１画像）
８１    第１領域
８２    第２領域
８５    第１ジョブリスト画像（第１画像）
８６    第２ジョブリスト画像（第２画像）
α    視覚位置
【図１】
0004425867.tif 000002
【図２】
0004425867.tif 000003
【図３】
0004425867.tif 000004
【図４】
0004425867.tif 000005
【図５】
0004425867.tif 000006
【図６】
0004425867.tif 000007
【図７】
0004425867.tif 000008
【図８】
0004425867.tif 000009
【図９】
0004425867.tif 000010
【図１０】
0004425867.tif 000011
【図１１】
0004425867.tif 000012
【図１２】
0004425867.tif 000013
【図１３】
0004425867.tif 000014
【図１４】
0004425867.tif 000015
【図１５】
0004425867.tif 000016
【図１６】
0004425867.tif 000017